(57)【要約】      （修正有）【課題】天板を支持する脚体の構造に関係なく、また、天板の下方に特別な部材を設けることなく、天板上の作業スペースをより広く使用できるオプション部材の取付構造を実現する。【解決手段】天板１の木口面１ａに、カップホルダ受４等のオプション部材を着脱可能に取り付けるためのオプション取付溝１ｘを備える。前記天板１は、厚さ方向中央部に位置する芯材と、前記芯材の上面に隣接する上天板要素１２と、前記芯材の下面に隣接する下天板要素１３とを具備する。【選択図】図１０
2012100937.tif 000002
【特許請求の範囲】
【請求項１】
天板の木口面に、オプション部材を着脱可能に取り付けるためのオプション取付溝を備えていることを特徴とする天板付き家具。
【請求項２】
前記オプション取付溝を天板の周縁の木口面に設けている請求項１記載の天板付き家具。
【請求項３】
前記天板が、厚さ方向中央部に位置する芯材と、この芯材の上面に隣接する上天板要素と、前記芯材の下面に隣接する下天板要素とを具備するとともに、前記芯材の外側面、前記上天板要素の下面、及び前記下天板要素の上面により区画される領域を前記オプション取付溝としている請求項１又は２記載の天板付き家具。
【請求項４】
前記芯材の周縁に磁性体を配している請求項３記載の天板付き家具。
【請求項５】
同一構造を有する他の天板付き家具の天板の周縁に設けたオプション取付溝に挿入することにより同一構造を有する他の天板付き家具と連結するための突起を備えている請求項１、２、３又は４記載の天板付き家具。
【請求項６】
オプション取付溝の外方に突出して天板の第１の所定箇所と第２の所定箇所とを接続するとともに天板の外周縁の木口面との間で空間を形成する突起を備えている請求項１、２、３、４又は５記載の天板付き家具。
【発明の詳細な説明】
【技術分野】
【０００１】
本発明は、オフィスや家庭等で好適に使用される天板付き家具に関する。
【背景技術】
【０００２】
従来、オフィスや家庭等において、天板付き家具に種々のオプション部材を取り付けて使用することが広く行われている。
【０００３】
このような天板付き家具にオプション部材を取り付けるための構造の一例として、天板の下方に設けられ該天板を支持するフレーム構造体にオプション部材を支持させる態様が知られている（例えば、特許文献１を参照）。このような構成であれば、天板上の空間を占有することなくオプション部材を取り付けることができる。
【０００４】
しかして、天板付き家具の天板を支持する脚体としては、特許文献１記載のもののようかフレーム構造体を利用して構成したものだけでなく、種々の構成のものが用いられている。そして、脚体をフレーム構造体を利用して構成したものでない天板付き家具においても、天板上の空間を占有することなくオプション部材を取り付けるようにする要望が存在する。
【先行技術文献】
【特許文献】
【０００５】
【特許文献１】特開２００２−２９１５３７号公報
【発明の概要】
【発明が解決しようとする課題】
【０００６】
本発明は以上の点に着目し、このような課題を解決すること、すなわち、天板を支持する脚体の構造に関係なく、また、天板の下方に特別な部材を設けることなく、天板上の作業スペースをより広く使用できるオプション部材の取付構造を実現することを目的とする。
【課題を解決するための手段】
【０００７】
すなわち本発明に係る天板付き家具は、天板の木口面に、オプション部材を着脱可能に取り付けるためのオプション取付溝を備えていることを特徴とする。
【０００８】
このようなものであれば、天板の厚さ寸法内に配されたオプション取付溝にオプション部材を取り付けることにより、天板下方には特別な部材を設けることなく、また、天板上の作業スペースを占有することなく、オプション部材を取り付けることができる。なお、「天板の木口面」とは、天板の外周縁に形成された木口面だけでなく、厚さ方向に貫通する開口の開口縁すなわち内周縁に形成された木口面等をも含む概念である。以下、外周縁及び内周縁を総称して「周縁」と称する。
【０００９】
このように天板上の作業スペースを占有することなくオプション部材を取り付けることができるようにするための具体的な構成の一例として、前記オプション取付溝を天板の周縁の木口面に設けているものが挙げられる。
【００１０】
上述したオプション取付溝をより簡単な工程により形成するための構成の一例として、前記天板が、厚さ方向中央部に位置する芯材と、この芯材の上面に隣接する上天板要素と、前記芯材の下面に隣接する下天板要素とを具備するとともに、前記芯材の外側面、前記上天板要素の下面、及び前記下天板要素の上面により区画される領域を前記オプション取付溝としているものが挙げられる。
【００１１】
特に、前記芯材の周縁に磁性体を配しているものであれば、磁力を使用して芯材にオプション部材を吸着させることによりオプション部材をこのような天板付き家具に容易に取り付けることができる。
【００１２】
また、同一構造を有する他の天板付き家具の天板の周縁に設けたオプション取付溝に挿入することにより同一構造を有する他の天板付き家具と連結するための突起を備えているものであれば、他の天板付き家具の突起をオプション取付溝の任意の箇所に挿入させることにより、種々の態様で天板を拡張することができる。
【００１３】
そして、オプション取付溝の外方に突出して天板の第１の所定箇所と第２の所定箇所とを接続するとともに天板の外周縁の木口面との間で空間を形成する突起を備えているものであれば、前記空間を利用してゴミ箱や配線保持具等のオプション部材を取り付けるようにすることができる。
【発明の効果】
【００１４】
本発明によれば、天板を支持する脚体の構造に関係なく、また、天板の下方に特別な部材を設けることなく、天板上の作業スペースをより広く使用できるオプション部材の取付構造を実現することができる。
【図面の簡単な説明】
【００１５】
【図１】本発明の一実施形態に係るテーブルを示す斜視図。
【図２】同実施形態に係るテーブルを示す背面側斜視図。
【図３】同実施形態に係るテーブルを示す平面図。
【図４】同実施形態に係るテーブルを示す正面図。
【図５】同実施形態に係るテーブルを示す側面図。
【図６】同実施形態に係るテーブルを示す背面図。
【図７】図３における天板のＡ−Ａ断面図。
【図８】図４における天板のＢ−Ｂ断面図。
【図９】同実施形態に係るテーブルへのオプション部材の取付態様を示す図。
【図１０】同実施形態に係るテーブルへのオプション部材の取付態様を示す図。
【図１１】本発明の他の実施態様に係るテーブルの天板の接続態様を示す図。
【図１２】本発明の他の実施態様に係るテーブルの天板の接続態様を示す図。
【図１３】本発明の他の実施態様に係るテーブルの天板の接続態様を示す図。
【図１４】本発明の他の実施態様に係るテーブルの天板を示す平面図。
【図１５】本発明の他の実施態様に係るテーブルへのオプション部材の取付態様を示す図。
【図１６】同実施態様に係るテーブルへのオプション部材の取付態様を示す図。
【発明を実施するための形態】
【００１６】
本発明の一実施形態を図１〜図１０を参照しつつ説明する。
【００１７】
本実施形態に係る天板付き家具たるテーブルＴは、図１、図２、及び図４〜図７に示すように、天板１と、天板１を支持する脚体２とを具備する。
【００１８】
前記脚体２は、図１、図２、及び図４〜図７に示すように、左右１対の脚フレーム２１と、これら対をなす脚フレーム２１を接続するとともに天板を支持する天板支持部２２とを有する。前記脚フレーム２１は、上端部から下方に向かい後斜め下方に延伸する後支柱２１１と、この後支柱２１１の上部から分岐し及び後斜め下方に延伸する前支柱２１２と、これら後支柱２１１及び前支柱２１２の下端においてテーブルＴ自体を移動させるためのキャスタ２１３とを有する周知のものである。一方、前記天板支持部２２は、天板１と脚フレーム２１との間に介在し天板１を支持する支持部本体２２１と、左右の脚フレーム２１間を接続し天板１及び支持部本体２２１を回動可能に支持する軸部材２２２とを有する周知のものである。
【００１９】
一方、前記天板１は、図１、図２、図４〜図８に示すように、その周縁の木口面１ａに、オプション部材を着脱可能に取り付けるためのオプション取付溝１ｘを有する。より具体的には、この天板１は、厚さ方向中央部に位置する芯材１１と、この芯材１１の上面に隣接する上天板要素１２と、前記芯材１１の下面に隣接する下天板要素１３とを具備するとともに、前記芯材１１の外側面、前記上天板要素１２の下面、及び前記下天板要素１３の上面により区画される領域を前記オプション取付溝１ｘとしている。このオプション取付溝１ｘは、前記木口面１ａの高さ方向中央部に設けている。また、この天板１は、左右両側部が半円状をなすとともに、これら半円の弧端を、内側に嵌入する円弧により滑らかに接続した形状をなしている。すなわち、この天板１は全体としてはひょうたん形をなしていて、前後両側縁部に凹部１ｙを有する。
【００２０】
さらに詳述すると、前記芯材１１は、図８に示すように、左右両端部の半円の弧端を直線により接続した形状を有する。また、本実施形態では、その一部の周縁、具体的には左右両端部の半円状をなす部分の周縁に板状の磁石１４を並列して配置している。この磁石１４は、芯材１１とわずかな隙間を隔てて配している。
【００２１】
前記上天板要素１２は、図１〜図７に示すように、その上面がこの天板１の天板面である。また、この上天板要素１２の下面の中央部には、図８に示すように、前記芯材１１を収納するための上芯材収納凹部１２ｘを有する。また、この上芯材収納凹部１２ｘの左右両端部の半円状をなす部分の外周には、前記磁石１４を収納するための上磁石収納凹部１２ｙを有する。これら上芯材収納凹部１２ｘ及び上磁石収納凹部１２ｙの深さは、前記芯材１１の厚さ寸法の半分よりも小さい。
【００２２】
前記下天板要素１３は、前記上天板要素１２と全く同一の平面形状をなし、図７及び図８に示すように、その上面の中央部に前記芯材１１を収納するための下芯材収納凹部１３ｘを有する。また、この下芯材収納凹部１３ｘの左右両端部の半円状をなす部分の外周にも、前記磁石１４を収納するための下磁石収納凹部１３ｙを有する。これら下芯材収納凹部１３ｘ及び下磁石収納凹部１３ｙの深さも、前記芯材１１の厚さ寸法の半分よりも小さい。すなわち、これら上芯材収納凹部１２ｘ及び下芯材収納凹部１３ｘに芯材１１を収納した状態で、天板１の周縁の木口面１ａにオプション取付溝１ｘが形成される。さらに詳述すると、このオプション取付溝１ｘは芯材１１の外方の前記上天板要素１２と前記下天板要素１３との間の空間である。
【００２３】
また、本実施形態では、図１〜図８に示すように、このオプション取付溝１ｘ内に、該オプション取付溝１ｘの外方に突出して天板１の第１の所定箇所と第２の所定箇所とを接続する突起１５２を有する突出部材１５を設けている。この突出部材１５は、図８に示すように、前記オプション取付溝１ｘ内に配される支持部１５１と、この支持部１５１の一端部と他端部とを接続し前記オプション取付溝１ｘの外側に突出する円弧状の前記突起１５２とを備え、これら支持部１５１及び突起１５２の間に孔Ｓを有する。この孔Ｓの内部が、請求項中における突起１５２と天板１の周縁の木口面１ａとの間の空間である。この突出部材１５は、本実施形態では前記オプション取付溝１ｘの厚さ方向略中央に配している。すなわち、前記オプション取付溝１ｘ内において、この突出部材１５の上方及び下方には他の天板１のオプション取付溝１ｘにこの突出部材１５を容易に挿入させるようにするための隙間を設けている。この突出部材１５は、本実施形態では全体を磁性体により形成している。すなわち、図３の想像線に示すように、この突出部材１５の突起１５２を、同一構造を有する他のテーブルＴの天板１の側部のオプション取付溝１ｘ内に挿入することにより、突出部材１５が芯材１１の周縁に配した磁石１４に吸着されてテーブルＴの天板１同士が連結される。さらに、この突出部材１５の孔Ｓ、すなわちこの突起１５２と天板１の周縁との間の空間には、図９に示すように、例えばオプション部材たるゴミ箱３を取り付けることができる。より具体的には、前記ゴミ箱３を前記孔Ｓに挿入した状態で、その上端において水平外方に突出した鍔部３１を突出部材１５に支持させることができる。加えて、この突出部材１５には、図示しない配線支持具等、前記孔Ｓ内に配置可能かつその上端において水平外方に突出した鍔部を有する他のオプション部材を支持させることも可能である。
【００２４】
加えて本実施形態では、図３の想像線及び図１０に示すように、前記オプション取付溝１ｘ内に、他のオプション部材、例えばカップホルダ受４を取り付けることが可能である。このカップホルダ受４は、基端部に前記芯材１１の半円状の部分と同一の径を有する凹部４１ａを有するとともに前記オプション取付溝１ｘ内に挿入可能な取付部４１と、この取付部４１から外方に突出し中央部に円形のカップホルダ挿入孔４２ｘを有するカップホルダ支持部４２とを有する。そして、このカップホルダ支持部４２のカップホルダ挿入孔４２ｘにオプション部材たるカップホルダ５を挿入した状態で、カップホルダ５の上端において水平外方に突出した鍔部５１をカップホルダ受４に支持させることができる。加えて、このカップホルダ受４には、図示しない小物入れ等、カップホルダ挿入孔４２ｘに挿入可能かつその上端において水平外方に突出した鍔部を有する他のオプション部材を支持させることも可能である。
【００２５】
以上に述べたように、本実施形態に係るテーブルＴは、天板１の下芯材収納凹部１３ｘ１ａに、オプション部材を着脱可能に取り付けるためのオプション取付溝１ｘを備えているので、このオプション取付溝１ｘにオプション部材を取り付けることにより、天板１下方には特別な部材を設けることなく、また、天板１上空間を占有することなく、オプション部材を取り付けることができる。
【００２６】
また、前記オプション取付溝１ｘを天板１の周縁の木口面１ａに設けているので、天板１の周縁部にカップホルダ受４等のオプション部材を容易に取り付けることができる。
【００２７】
さらに、前記天板１が、厚さ方向中央部に位置する芯材１１と、この芯材１１の上面に隣接する上天板要素１２と、前記芯材１１の下面に隣接する下天板要素１３とを具備するとともに、前記芯材１１の外側面、前記上天板要素１２の下面、及び前記下天板要素１３の上面により区画される領域を前記オプション取付溝１ｘとしているので、簡単な構成によりこのようなオプション取付溝１ｘを形成することができる。
【００２８】
加えて、前記芯材１１の周縁に磁石１４を配しているので、磁力を使用して芯材１１にカップホルダ受４等のオプション部材を吸着させることにより、オプション部材を容易に取り付けることができるとともに、オプション取付溝１ｘ内部でオプション部材を容易に移動させることもできる。また、本実施形態では、磁石１４と芯材１１との間に隙間を設けているので、磁性体により形成したカップホルダ受４等のオプション部材を磁石１４に近づけた際に磁石１４がオプション部材に吸引されるので、オプション部材を磁石１４に衝き当てた際の衝撃により磁石１４や芯材１１が破損する不具合の発生を防ぐこともできる。
【００２９】
その上、同一構造を有する他のテーブルＴの天板１の周縁に設けたオプション取付溝１ｘに挿入することにより同一構造を有する他のテーブルＴと連結するための突起１５２を備えているので、他のテーブルＴの突起１５２をオプション取付溝１ｘの任意の箇所に挿入させることにより、種々の態様で天板１を拡張することができる。
【００３０】
そして、この突起１５２が、オプション取付溝１ｘの外方に突出して天板１の第１の所定箇所と第２の所定箇所とを接続するとともに天板１の周縁との間で空間を形成するための孔Ｓを有するので、前記孔Ｓを利用してゴミ箱３等のオプション部材を取り付けるようにすることができる。
【００３１】
なお、本発明は以上に述べた実施形態に限られない。
【００３２】
例えば、天板の形状は矩形状であってもよい。また、天板の形状は円形状であってもよい。さらに、図１１及び図１２に示すように、天板１の左右両端部を半円形とした上で、その中間部の円弧状の凹部１ｙの曲率を天板の左右両端部の半円状の部分と等しく設定してもよい。このようなものであれば、天板１の木口面１ａのオプション取付溝１ｘに突起１５２を挿入することにより、同一構造を有する天板付き家具の天板同士を略隙間なく連結することができる。また、このような構成であれば、図１３に示すように、同一構成を有するテーブル３個を概略正三角形状に配置し、その中央に周縁の曲率が前記円弧状の凹部１ｙと等しく、周縁の木口面にオプション取付溝を有する円形状の天板１０を略隙間なく配置することもできる。
【００３３】
また、オプション取付溝は、天板の外周縁の木口面以外に設けてもよく、全周にわたっては設けない態様を採用してもよい。例えば、オプション取付溝を矩形状の天板の長辺に沿った木口面にのみ設けるようにしてもよい。一方、中央部に開口を有する天板において、オプション取付溝を開口縁の木口面すなわち天板の内周縁に設けるようにしてもよい。さらに、オプション取付溝を天板の木口面に間欠的に設けるようにしてもよい。
【００３４】
さらに、上述した実施形態では、２枚の天板要素の間にオプション取付溝を設けているが、それ以外の態様、例えば、１枚の板材により形成した天板本体の周縁の木口面に、厚さ方向中央部にオプション取付溝を有するエッジ材を設ける態様や、１枚の板材により形成した天板本体の周縁の木口面にオプション取付溝を穿設する態様を採用してもよい。一方、上述した実施形態では、２枚の天板要素を同一形状に設定しているが、下天板要素の全体が平面視上天板要素の内側に位置するようにしてもよい。この場合にオプション取付溝に好適に取り付け可能なオプション部材として、例えば、オプション取付溝に挿入可能な取付部と、ヒンジを介してこの取付部に取り付けられる板状のものであって上天板要素と平行な使用状態、及びヒンジとの接続部から垂下する収納状体の間で移動可能な補助天板等が考えられる。また、上天板要素と下天板要素との間に芯材を介在させる場合、図１４に示すように、芯材１１の形状を円形状に設定してもよい。この場合、同図に示すように、天板１の平面形状を、芯材１１と同心をなす外方に突出した円弧を内方に突出した円弧により接続した形状に設定することが考えられる。
【００３５】
加えて、上述した実施形態では、芯材の周縁すなわちオプション溝の溝底に磁石を配置してオプション部材を吸着させるようにしているが、オプション溝の溝底に磁性体を配置してオプション部材の基端部の磁石に吸着させる構成を採用してもよく、また、オプション溝の溝底の磁石を省略し、オプション取付溝とオプション部材との間に摩擦力を発生させてオプション部材を支持させる取付方法を採用してもよい。加えて、オプション取付溝とオプション部材とを凹凸係合させる態様を採用してもよい。一例として、図１５及び図１６に示すように、１枚の板状の部材により形成してなり外側縁の木口面Ａ１１ａにエッジ取付溝Ａ１１ｘを有する天板本体Ａ１１と、この天板本体Ａ１１のエッジ取付溝Ａ１１ｘに凹凸係合可能に内側縁から内方に突出させて設けた取付突起Ａ１２１を有するとともに外周縁の木口面Ａ１２ａにオプション取付溝Ａ１２ｘを設けてなるエッジ部材Ａ１２とを備えた天板Ａ１を具備するものが挙げられる。ここで、エッジ部材Ａ１２の外周縁の木口面Ａ１２ａが、本発明の天板Ａ１の木口面である。前記エッジ部材Ａ１２は、例えば樹脂等の弾性を有する軟質の部材により形成したもので、そのオプション取付溝Ａ１２ｘの溝底部Ａ１２ｘ１の高さ寸法は、他の部分よりも大きい。なお、図１６において、エッジ部材Ａ１２はその一部を破断して示している。また、同図において、天板本体Ａ１１は想像線により示している。そして、このオプション取付溝Ａ１２ｘに好適に取り付けられるオプション部材の一例として、図１５及び図１６に示すように、上下両面の基端部に前記オプション取付溝Ａ１２ｘの溝底部Ａ１２ｘ１にそれぞれ嵌入させることが可能な支持突起Ａ４１１を有するとともに前記オプション取付溝Ａ１２ｘ内に挿入可能な取付部Ａ４１と、この取付部Ａ４１から外方に突出し中央部に円形のカップホルダ挿入孔Ａ４２ｘを有するカップホルダ支持部Ａ４２とを有するカップホルダ受Ａ４２が挙げられる。このカップホルダ受Ａ４２の前記支持突起Ａ４１１を設けた部分の厚さ寸法は前記オプション取付溝Ａ１２ｘの溝底部Ａ１２ｘ１の溝幅と略一致する。一方、このカップホルダ受Ａ４のその他の部分の厚さ寸法は前記オプション取付溝Ａ１２ｘの開口端付近の部分の溝幅と略一致する。このカップホルダ受Ａ４を前記オプション取付溝Ａ１２ｘに挿入すると、オプション取付溝Ａ１２ｘの上側面及び下側面とカップホルダ受Ａ４の上面及び下面との間に摩擦力が発生してカップホルダ受Ａ４が天板Ａ１に支持されるとともに、前記カップホルダ受Ａ４の支持突起Ａ４１１が前記オプション取付溝Ａ１２ｘの溝底部Ａ１２ｘ１に嵌入して凹凸係合し、これらがカップホルダ受Ａ４の天板Ａ１からの抜け止めを行う抜け止め部として機能する。
【００３６】
さらに、天板の外周縁から突出する突起には、必ずしも孔を設ける必要はない。すなわち、天板の外周縁から突出する突起は同一構成を有する他の天板付き家具の天板のオプション取付溝に挿入して天板同士を連結する機能のみを有するものであってもよい。その一方で、天板の外周縁から突出する突起の形状は、同一構成を有する他の天板付き家具の天板のオプション取付溝に全体を挿入可能でないものであってもよい。すなわち、この突起と天板の外周縁の木口面との間の空間を利用してゴミ箱や配線保持具等のオプション部材を取り付ける機能のみを有するものであってもよい。加えて、前記突起を有する突出部材と芯材とを一体に形成する態様を採用してももちろんよい。
【００３７】
その他、本発明の趣旨を損ねない範囲で種々に変形してよい。
【符号の説明】
【００３８】
１、Ａ１…天板
１ａ、Ａ１２ａ…木口面
１ｘ、Ａ１２ｘ…オプション取付溝
１１…芯材
１２…上天板要素
１３…下天板要素
１５２…突起
【図１】
2012100937.tif 000003
【図２】
2012100937.tif 000004
【図３】
2012100937.tif 000005
【図４】
2012100937.tif 000006
【図５】
2012100937.tif 000007
【図６】
2012100937.tif 000008
【図７】
2012100937.tif 000009
【図８】
2012100937.tif 000010
【図９】
2012100937.tif 000011
【図１０】
2012100937.tif 000012
【図１１】
2012100937.tif 000013
【図１２】
2012100937.tif 000014
【図１３】
2012100937.tif 000015
【図１４】
2012100937.tif 000016
【図１５】
2012100937.tif 000017
【図１６】
2012100937.tif 000018